(57)【要約】【課題】無線タグの用途によって、様々なタグ管理やタグ制御に柔軟に対応する。【解決手段】情報処理システムは、起動信号を発信する発信機と、起動信号を受信すると、第１信号を送信する無線タグと、第１信号を受信すると、第１信号に対して応答信号を出力する受信機と、を備え、発信機は、受信機から応答信号を取得すると、第２信号を発信し、無線タグは、発信機から第２信号を受信すると、第２信号に基づく制御を行い、又は第２信号に含まれるデータを含むタグ情報を送信する。【選択図】図１
2016164692.tif 000002
【特許請求の範囲】
【請求項１】
起動信号を発信する発信機と、
前記起動信号を受信すると、第１信号を送信する無線タグと、
前記第１信号を受信すると、該第１信号に対して応答信号を出力する受信機と、を備え、
前記発信機は、前記受信機から前記応答信号を取得すると、第２信号を発信し、
前記無線タグは、前記発信機から前記第２信号を受信すると、前記第２信号に基づく制御を行い、又は前記第２信号に含まれるデータを含むタグ情報を送信する、情報処理システム。
【請求項２】
前記発信機から発信される第２信号が、エリアＩＤ信号を含む場合、
前記無線タグは、前記エリアＩＤ信号を受信すると、該エリアＩＤ信号及び該無線タグのタグＩＤとを含むタグ情報を送信し、
前記受信機は、前記タグ情報を受信すると、前記タグ情報を基に前記無線タグの位置を判定するホストに前記タグ情報を送信する、請求項１記載の情報処理システム。
【請求項３】
前記発信機から発信される第２信号が、前記無線タグの動作を制御するためのタグ制御信号を含む場合、
前記無線タグは、前記タグ制御信号に基づき動作を制御する、請求項１記載の情報処理システム。
【請求項４】
前記発信機から発信される第２信号が、前記無線タグの動作を停止又は一時停止するためのタグ制御信号を含む場合、
前記無線タグは、前記タグ制御信号に基づき動作を停止又は一時停止する、請求項３記載の情報処理システム。
【発明の詳細な説明】
【技術分野】
【０００１】
本発明は、無線タグを用いる情報処理システムに関する。
【背景技術】
【０００２】
従来、無線タグを保持した人の動向を管理するものとして、例えば、第１の位置に設けられ、第１特性を有するトリガ信号を出力する第１トリガ信号発信器と、第２の位置に設けられ、第１特性とは異なる第２特性を有するトリガ信号を出力する第２トリガ信号発信器と、第１および第２トリガ信号発信器からのトリガ信号に応答して、受信したトリガ信号を特定する情報とともに、ＩＤ（Ｉｄｅｎｔｉｆｉｃａｔｉｏｎ）番号を出力するＩＤタグと、ＩＤタグが出力したＩＤ番号を受信する受信器を備えた動態管理システムが提案されている（特許文献１参照）。
【０００３】
このシステムによれば、ＩＤタグは、受信したトリガ信号を特定する情報とともにＩＤ番号を出力するため、２つのトリガ信号発信器からの情報だけで、ＩＤタグが、どのトリガ信号発信位置をどのように通過したかを知ることができる。
【先行技術文献】
【特許文献】
【０００４】
【特許文献１】特開２００６−４８３９９号公報
【発明の概要】
【発明が解決しようとする課題】
【０００５】
特許文献１に記載された従来技術では、無線タグを用いて動態管理することを想定しているため、無線タグの用途が限定されていた。一方で、無線タグの用途には、様々な用途が考えられる。しかしながら、従来のシステムでは、無線タグの用途によって、様々なタグ管理やタグ制御に対して柔軟に対応することができなかった。
【０００６】
本発明は、無線タグの用途によって、様々なタグ管理やタグ制御に対して柔軟に対応することができる情報処理システムを提供することを目的とする。
【課題を解決するための手段】
【０００７】
本発明の一態様における情報処理システムは、起動信号を発信する発信機と、前記起動信号を受信すると、第１信号を送信する無線タグと、前記第１信号を受信すると、該第１信号に対して応答信号を出力する受信機と、を備え、前記発信機は、前記受信機から前記応答信号を取得すると、第２信号を発信し、前記無線タグは、前記発信機から前記第２信号を受信すると、前記第２信号に基づく制御を行い、又は前記第２信号に含まれるデータを含むタグ情報を送信する。これにより、無線タグの用途によって、様々なタグ管理やタグ制御に柔軟に対応することができる。
【０００８】
また、前記発信機から発信される第２信号が、エリアＩＤ信号を含む場合、前記無線タグは、前記エリアＩＤ信号を受信すると、該エリアＩＤ信号及び該無線タグのタグＩＤとを含むタグ情報を送信し、前記受信機は、前記タグ情報を受信すると、前記タグ情報を基に前記無線タグの位置を判定するホストに前記タグ情報を送信してもよい。これにより、本発明を動態管理システムに適用することができる。
【０００９】
また、前記発信機から発信される第２信号が、前記無線タグの動作を制御するためのタグ制御信号を含む場合、前記無線タグは、前記タグ制御信号に基づき動作を制御してもよい。これにより、本発明を無線タグの動作制御に適用することができる。
【００１０】
また、前記発信機から発信される第２信号が、前記無線タグの動作を停止又は一時停止するためのタグ制御信号を含む場合、前記無線タグは、前記タグ制御信号に基づき動作を停止又は一時停止してもよい。これにより、無線タグを停止する際に本発明を適用することができる。
【発明の効果】
【００１１】
本発明は、無線タグの用途によって、様々なタグ管理やタグ制御に柔軟に対応することができる。
【図面の簡単な説明】
【００１２】
【図１】本発明に係る情報処理システムの一例を示す図である。
【図２】発信機の一例を示すブロック図である。
【図３】無線タグの一例を示すブロック図である。
【図４】受信機の一例を示すブロック図である。
【図５】第１実施例における無線タグ管理システムの一例を示す図である。
【図６】第２実施例における無線タグ管理システムの一例を示す図である。
【図７】第３実施例における無線タグ制御システムの一例を示す図である。
【発明を実施するための形態】
【００１３】
以下、本発明の一実施形態を図面に基づいて説明する。図１は、一実施形態における情報処理システムの一例を示すブロック図である。
【００１４】
図１に示す情報処理システム１０は、発信機１２と、無線タグ１４と、受信機１６と、ホスト１８とを備える。なお、図１に示す情報処理システム１０では、ホスト１８は、必ずしも必要な構成ではない。
【００１５】
発信機１２は、例えば所定のエリア内に、無線タグを起動するための起動信号を発信する。ここで、起動は、スリープ状態からの復帰を含む。また、発信機１２は、受信機１６から、応答信号として、無線タグ１４を制御するための信号（以下、制御信号又は第２信号ともいう）を取得すると、所定のエリア内に、制御信号を発信する。例えば、制御信号は、無線タグ１４を制御するタグ制御信号又は無線タグ１４にデータを出力させる出力信号を含む。例えば、発信機１２は、受信した制御信号がデータを出力させる出力信号を含む場合、データ（例えば当該エリア固有のエリアＩＤ信号）を制御信号に含めて発信する。発信機１２は、発信する際、省電力を考慮して間欠的に発信するとよい。
【００１６】
無線タグ１４は、起動信号を受信すると起動し、制御信号を要求するための信号（以下、要求信号又は第１信号ともいう）を送信する。また、無線タグ１４は、発信機１２から制御信号を受信すると、制御信号がタグ制御信号を含む場合、受信したタグ制御信号に基づき制御されたり、制御信号が出力信号を含む場合、受信した制御信号に含まれるデータを含むタグ情報を送信したりする。また、無線タグ１４は、例えば人や車両等の物体に装着される。
【００１７】
受信機１６は、要求信号を受信すると、受信した要求信号に対する応答信号として、要求信号に基づく制御信号を発信機１２に出力する。また、受信機１６は、タグ情報を受信すると、受信したタグ情報をホスト１８に送信する。要求信号が受信されたときに、どの制御信号を送信するかは、例えばホスト１８などから設定可能である。
【００１８】
ホスト１８は、受信機１６の出力によるタグ情報を基に、無線タグ１４を保持した、人や物体の位置を判定する。また、ホスト１８は、受信機１６の出力を設定可能である。例えば、ホスト１８は、受信機１６が要求信号を取得したときに、どの制御信号を出力するかを設定可能である。次に、各装置の具体的な構成について説明する。
【００１９】
図２は、発信機１２の構成の一例を示すブロック図である。発信機１２は、図２に示すように、通信回路２０と、電源回路２２と、１チップマイコン２４と、信号生成回路２８と、出力回路３０と、共振調整回路３２と、アンテナ３６とを備える。
【００２０】
通信回路２０は、受信機１６から、応答信号として制御信号を受信すると、制御信号を１チップマイコン２４に出力する。電源回路２２は、発信機１２各部に直流電力（例えばＤＣ１２Ｖ）を供給する。
【００２１】
１チップマイコン２４は、ＣＰＵ、ＲＡＭ、ＲＯＭ、入出力インタフェースを備える。１チップマイコン２４は、信号生成回路２８に対して、無線タグ１４を起動させる起動信号の生成を制御する。また、１チップマイコン２４は、共振調整回路３２に対して共振制御を行う。例えば、１チップマイコン２４は、起動信号を発信するための演算を実行し、実行結果を信号生成回路２８に出力する。
【００２２】
また、１チップマイコン２４は、データ（例えばエリアＩＤ信号）を送信するための出力信号を含む制御信号を取得した場合、所定のエリア固有のエリアＩＤ信号を発信するための演算を実行し、実行結果を信号生成回路２８に出力する。エリアＩＤ信号は、例えば８ビットである。
【００２３】
また、１チップマイコン２４は、無線タグ１４を制御するためのタグ制御信号を含む制御信号を取得した場合、制御信号を発信するための演算を実行し、実行結果を信号生成回路２８に出力する。
【００２４】
信号生成回路２８は、１チップマイコン２４の演算結果を基に、起動信号や制御信号（所定のエリア固有のエリアＩＤ信号を含む信号又はタグ制御信号を含む）を生成し、生成した起動信号や制御信号を出力回路３０に出力する。出力回路３０は、信号生成回路２８により生成された起動信号や制御信号を、アンテナ３６を介して所定のエリアに向けて発信する。
【００２５】
この際、共振調整回路３２は、エリアＩＤ信号などの共振を調整する。なお、起動信号やタグ制御信号は、エリアＩＤ信号に比べてビット数を少なくすることができる。
【００２６】
図３は、無線タグ１４の構成の一例を示すブロック図である。図３に示すように、無線タグ１４は、受信アンテナ４０と、検出回路４２と、１チップマイコン４４と、電源４６と、周波数制御回路４８と、発振・変調回路５０と、出力回路５２と、送信アンテナ５４とを備える。
【００２７】
受信アンテナ４０は、発信機１２の所定のエリア内で、起動信号や制御信号を受信したときに、受信した起動信号や制御信号を検出回路４２に出力する。また、受信アンテナ４０は、発信機１２の所定のエリア内で、所定の電波（例えば９３．７５ｋＨｚ）として、エリアＩＤ信号を含む制御信号を受信したときに、受信したエリアＩＤ信号を検出回路４２に出力する。
【００２８】
検出回路４２は、受信アンテナ４０が起動信号や制御信号を受信したときに、受信した起動信号に基づき起動検出信号や、受信した制御信号に基づきエリア検出信号又はコマンド検出信号を１チップマイコン４４に出力する。
【００２９】
１チップマイコン４４は、検出回路４２から起動検出信号が入力されたときの演算処理として、要求信号を送信するために、周波数制御回路４８と発振・変調回路５０と出力回路５２を制御するための演算処理を実行する。
【００３０】
また、１チップマイコン４４は、検出回路４２からエリア検出信号が入力されたとき、つまり受信アンテナ４０がエリアＩＤ信号を受信したときの演算処理として、エリアＩＤ信号及び／又はタグＩＤを含むタグ情報を送信するために、周波数制御回路４８と発振・変調回路５０および出力回路５２を制御するための演算処理を実行する。
【００３１】
また、１チップマイコン４４は、検出回路４２からコマンド検出信号が入力されたときに、コマンド検出信号が示すタグ制御信号の制御内容に基づいて、無線タグ１４の制御を行う。例えば、１チップマイコン４４は、動作制御を行うタグ制御信号が受信された場合には、動作制御を行い、また、一時停止又は停止するタグ制御信号が受信された場合には、無線タグ１４の動作を一時停止又は停止する。
【００３２】
周波数制御回路４８と、発振・変調回路５０とは、１チップマイコン４４の各演算結果に従って各処理を実行する。
【００３３】
出力回路５２は、要求信号や、エリアＩＤ信号とタグＩＤを含むタグ情報を、送信アンテナ５４から例えば３００ＭＨｚ帯の電波で送信する。
【００３４】
図４は、受信機１６の構成の一例を示すブロック図である。図４に示すように、受信機１６は、受信アンテナ６０と、受信回路６１と、復調回路６２と、電源回路６３と、メモリ６４と、１チップマイコン６６と、ＬＡＮ通信回路７０と、デジタル入出力（ＤＩ／ＤＯ）回路７２と、通信回路７６とを備える。また、ＬＡＮ通信回路７０は、ＬＡＮ７４を介してホスト１８に接続されている。
【００３５】
受信回路６１は、送信アンテナ５４から送信されたタグ情報を、受信アンテナ６０を介して受信したときに、タグ情報をデジタルのタグ情報として復調回路６２に出力する。また、受信回路６１は、送信アンテナ５４から送信された要求信号を、受信アンテナ６０を介して受信したときに、要求信号を復調回路６２に出力する。
【００３６】
復調回路６２は、受信回路６１から出力されたタグ情報や要求信号を復調し、復調結果を１チップマイコン６６に出力する。電源回路６３は、受信機１６各部に直流電力を供給する。
【００３７】
１チップマイコン６６は、復調回路６２からの復調結果やメモリ６４のデータを処理する。１チップマイコン６６は、復調結果として、例えば、時間情報が付加されたタグ情報を取得した場合、タグ情報を、ＬＡＮ通信回路７０とＬＡＮ７４を介してホスト１８に転送する。また、１チップマイコン６６は、復調結果として要求信号を取得した場合、制御信号を通信回路７６に出力する。タグ制御信号又は出力信号のどちらを含む制御信号を出力するかは、１チップマイコン６６に予め設定されていればよい。また、１チップマイコン６６は、デジタル入出力回路７２にＬＥＤ（Light Emitting Diode）を制御するための指示を出したり、デジタル入出力回路７２からの指示により制御を行ったりする。
【００３８】
ＬＡＮ通信回路７０は、例えば１００ＢＡＳＥ−Ｔや１００ＢＡＥ−ＴＸであり、タグ情報を、ＬＡＮ７４を介してホスト１８に送信する。デジタル入出力回路７２は、接点等から入力されたデータを１チップマイコン６６に出力する。また、デジタル入出力回路７２は、１チップマイコン６６からの指示によりＬＥＤ等を制御する。通信回路７６は、１チップマイコン６６から応答信号として制御信号を取得した場合、制御信号を発信機１２に送信する。
【００３９】
ホスト１８は、例えば、パーソナルコンピュータで構成され、時間情報が付加されたタグ情報を基に、無線タグ１４を保持した、人や物体の位置を判定したり、発信機１２や無線タグ１４や受信機１６などを制御するための情報を生成したりする。例えば、ホスト１８は、受信機１６に対して、要求信号を取得したときにどの制御信号を出すかを設定することができる。なお、受信機１６による時間情報の付加は必ずしも必要ではない。ホスト１８は、ホスト１８側で有する時計機能の時間に基づいて、タグ情報を受信した時間により時間管理を行ってもよい。
【００４０】
＜第１実施例＞
次に、情報処理システム１０を、動態管理を行う無線タグ管理システムとして用いる場合の第１実施例について説明する。以下、情報処理システム１０を用いて、作業者の作業管理を行うときの作用を図５に基づいて説明する。
【００４１】
図５は、第１実施例における無線タグ管理システムの一例を示す図である。図５に示す第１実施例においては、建屋１００の出入口１０２の外側に発信機１２Ａを、内側に発信機１２Ｂをそれぞれ配置し、作業場Ａに発信機１２Ｃを、作業場Ｂに発信機１２Ｄをそれぞれ配置した場合について説明する。また、受信機１６は、建物１００内に配置されてもよいし、建物１００外に配置されてもよい。また、受信機１６は、発信機１２にそれぞれ対応させて配置されてもよい。なお、発信機１２Ａ〜１２Ｄは、発信機１２と同一の機能を有するもので構成されている。
【００４２】
まず、発信機１２Ａ、１２Ｂは、常時発信状態とし、発信機１２Ｃ、１２Ｄは、停止状態とする。この状態で、無線タグ１４を保持した作業者が建屋１００の出入口１０２に近づくと、作業者の無線タグ１４が発信機１２Ａの発信による起動信号を受信する。
【００４３】
次に、作業者の無線タグ１４は、起動信号を受信すると、要求信号を発信する。受信機１６は、この要求信号を受信すると、データ（例えばエリアＩＤ信号）を送信するための出力信号を含む制御信号を送信する。発信機１２Ａは、制御信号を受信すると、エリアＩＤ信号０１を含む制御信号を発信する。発信機１２ＢからもエリアＩＤ信号を含む制御信号が発信される可能性はあるが、作業者のいる位置によりどの発信機１２のエリアＩＤ信号を受信するかが決まる。ここでは、無線タグ１４は、発信機１２Ａのエリア内にあるので、発信機１２ＡのエリアＩＤ信号０１を含む制御信号を受信する。なお、受信機１６は、要求信号を受信すると、エリアＩＤ信号を送信するための出力信号を含む制御信号を発信するように設定されている。
【００４４】
次に、作業者の無線タグ１４は、発信機１２ＡからエリアＩＤ信号０１を含む制御信号を受信すると、エリアＩＤ信号０１とタグＩＤを含むタグ情報を発信する。受信機１６は、タグ情報を受信すると、受信したタグ情報に時間情報を付加してホスト１８に転送する。
【００４５】
これにより、ホスト１８は、建屋１００の出入口１０２に無線タグ１４を保持した作業者が近づいたことを検知することができる。
【００４６】
次に、無線タグ１４を保持した作業者が出入口１０２から建屋１００内に入ると、作業者の無線タグ１４が発信機１２Ｂの発信による起動信号を受信する。
【００４７】
次に、作業者の無線タグ１４は、起動信号を受信すると、要求信号を発信する。受信機１６は、この要求信号を受信すると、データ（例えばエリアＩＤ信号）を送信するための出力信号を含む制御信号を送信する。発信機１２Ｂは、制御信号を受信すると、エリアＩＤ信号０２を含む制御信号を発信する。ここで、無線タグ１４は、エリアＩＤ信号０２を含む制御信号を受信する。
【００４８】
次に、作業者の無線タグ１４は、発信機１２ＢからエリアＩＤ信号０２を含む制御信号を受信すると、エリアＩＤ信号０２とタグＩＤを含むタグ情報を発信する。受信機１６は、タグ情報を受信すると、受信したタグ情報に時間情報を付加してホスト１８に転送する。
【００４９】
これにより、ホスト１８は、無線タグ１４を保持した作業者が出入口１０２から建屋１００内に入ったことを検知することができる。
【００５０】
この後、ホスト１８は、無線タグ１４を保持した作業者が出入口１０２から建屋１００内に入ったことを条件に、発信機１２Ｃに起動信号の発信を指示する。これにより、発信機１２Ｃが発信状態となる。ここで、ホスト１８は、タグＩＤと作業場にある発信機とを関連付けておくことで、タグＩＤにより、どの作業者がどの作業場に行くかを把握できる。よって、ホスト１８は、タグＩＤに対応する発信機に対して発信指示を行うことができる。
【００５１】
次に、無線タグ１４を保持した作業者が作業場Ａで作業を開始すると、作業者の無線タグ１４が発信機１２Ｃの発信による起動信号を受信する。
【００５２】
次に、作業者の無線タグ１４は、起動信号を受信すると、要求信号を発信する。受信機１２Ｃは、要求信号を受信すると、データ（例えばエリアＩＤ信号）を送信するための出力信号を含む制御信号を送信する。発信機１２Ｃは、制御信号を受信すると、エリアＩＤ信号０３を含む制御信号を発信する。ここで、無線タグ１４は、エリアＩＤ信号０３を含む制御信号を受信する。
【００５３】
次に、作業者の無線タグ１４は、発信機１２ＣからエリアＩＤ信号０３を含む制御信号を受信すると、エリアＩＤ信号０３とタグＩＤを含むタグ情報を発信する。受信機１６は、タグ情報を受信すると、受信したタグ情報に時間情報を付加してホスト１８に転送する。
【００５４】
これにより、ホスト１８は、無線タグ１４を保持した作業者が作業場Ａで作業を行っていることを検知することができる。
【００５５】
この後、ホスト１８は、発信機１２Ｃに対して、起動信号の発信間隔を長くさせるための指示を行う。これにより、発信機１２Ｃの起動信号の発信間隔が長くなる。
【００５６】
発信機１２Ｃの起動信号の発信間隔が長くなると、起動信号の発信間隔に伴って発信機１２Ｃの発信によるエリアＩＤ信号０３を含む制御信号を受信する間隔も長くなる。よって、作業者の無線タグ１４から発信するタグ情報の発信間隔も、作業者が作業場Ａにいる間は、長くなる。これにより、発信機１２Ｃの電源回路２２や無線タグ１４の電源４６の消費電力を抑制することができる。
【００５７】
ホスト１８は、作業者による作業が終了したことを検知したときには、発信機１２Ｃに対して、発信停止を指示する。
【００５８】
作業の終了に伴って、作業者が、作業場Ａから出入口１０２に近づくと、作業者の無線タグ１４が、発信機１２Ｂの発信による起動信号を受信する。
【００５９】
次に、作業者の無線タグ１４は、起動信号を受信すると、要求信号を発信する。受信機１２Ｂは、要求信号を受信すると、データ（例えばエリアＩＤ信号）を送信するための出力信号を含む制御信号を送信する。発信機１２Ｂは、制御信号を受信すると、エリアＩＤ信号０２を含む制御信号を発信する。ここで、無線タグ１４は、エリアＩＤ信号０２を含む制御信号を受信する。
【００６０】
次に、作業者の無線タグ１４は、発信機１２ＢからエリアＩＤ信号０２を含む制御信号を受信すると、エリアＩＤ信号０２とタグＩＤを含むタグ情報を発信する。受信機１６は、タグ情報を受信すると、受信したタグ情報に時間情報を付加してホスト１８に転送する。
【００６１】
これにより、ホスト１８は、無線タグ１４を保持した作業者が出入口１０２に近づいたことを検知することができる。
【００６２】
この後、作業者が、出入口１０２から建屋１００の外に出ると、作業者の無線タグ１４が、発信機１２Ａの発信による起動信号を受信する。
【００６３】
次に、作業者の無線タグ１４は、起動信号を受信すると、要求信号を発信する。受信機１６は、この要求信号を受信すると、データ（例えばエリアＩＤ信号）を送信するための出力信号を含む制御信号を送信する。発信機１２Ａは、制御信号を受信すると、エリアＩＤ信号０１を含む制御信号を発信する。ここで、無線タグ１４は、発信機１２ＡのエリアＩＤ信号０１を含む制御信号を受信する。
【００６４】
次に、作業者の無線タグ１４は、発信機１２ＡからエリアＩＤ信号０１を含む制御信号を受信すると、エリアＩＤ信号０１とタグＩＤを含むタグ情報を発信する。受信機１６は、タグ情報を受信すると、受信したタグ情報に時間情報を付加してホスト１８に転送する。
【００６５】
これにより、ホスト１８は、無線タグ１４を保持した作業者が出入口１０２から建屋１００の外に出たことを検知することができる。
【００６６】
第１実施例によれば、発信機１２から起動信号とエリアＩＤ信号とを分けて出力し、建屋１００を利用する作業者の入退出や作業を管理することができる。また、第１実施例によれば、タグＩＤやタグ情報などを、暗号化して送ってもよい。この場合、無線タグ１４は、発信機１２から受信する起動信号以外のデータを基に暗号化することで、常に同じ鍵を用いて暗号化することがなくなり、セキュリティを向上させることができる。例えば、無線タグ１４は、発信機１２から出力信号を含む制御信号を受信した場合、その制御信号に基づいてデータを暗号化し、送信することができる。
【００６７】
＜第２実施例＞
次に、情報処理システム１０を、盗難防止を図る無線タグ管理システムとして用いる場合の第２実施例について説明する。以下、情報処理システム１０を用いて、貴重品の盗難検知を行うときの作用を図６に基づいて説明する。
【００６８】
図６は、第２実施例における無線タグ管理システムの一例を示す図である。図６に示す第２実施例においては、建屋１００の出入口１０２の外側に発信機１２を配置し、貴重品置き場Ｃに貴重品を配置し、貴重品に、警報を鳴らすことができる無線タグ１４を装着した場合について説明する。また、受信機１６は、建物１００内に配置されてもよいし、建物１００外に配置されてもよい。
【００６９】
無線タグ１４は、貴重品を購入した人の場合には店員などにより正当に外される。また、無線タグ１４は、貴重品に装着されたまま、建物１００外に持ち出されると、警報が鳴る仕組みになっている。
【００７０】
例えば、無線タグ１４が装着された貴重品が、建物１００外に持ち出された場合、まず、貴重品の無線タグ１４が、発信機１２の発信による起動信号を受信する。次に、無線タグ１４は、起動信号を受信すると、要求信号を発信する。この要求信号は、警報を鳴らすタグ制御信号（以下、警報コマンドともいう）を要求するためのコマンドでもある。
【００７１】
受信機１６は、要求信号を受信すると、警報コマンドを含む制御信号を発信機１２へ送信する。発信機１２は、警報コマンドを含む制御信号を受信すると、受信した警報コマンドを含む制御信号を発信する。ここで、受信機１６は、要求信号を受信したときには、警報コマンドを含む制御信号を発信機１２へ出力するように設定されている。
【００７２】
次に、無線タグ１４は、警報コマンドを含む制御信号を受信したことを検知すると、警報コマンドにより制御され、警報を鳴らす。
【００７３】
以上、第２実施例によれば、無線タグ１４が装着されたまま貴重品を建物１００外に持ち出すと、無線タグ１４から警報が鳴るので、盗難の発生を周囲の人に知らせることができる。よって、情報処理システム１０は、無線タグ１４が装着された物品の盗難防止を図ることができる。
【００７４】
＜第３実施例＞
次に、情報処理システム１０を、無線タグの動作を制御する無線タグ制御システムとして用いる場合の第３実施例について説明する。以下、情報処理システム１０を用いて、無線タグ１４の機能を停止又は一時停止させるときの作用を図７に基づいて説明する。
【００７５】
図７は、第３実施例における無線タグ制御システムの一例を示す図である。図７に示す第３実施例においては、箱２００の中に無線タグ１４Ａ、無線タグ１４Ｂ、無線タグ１４Ｃが入っており、箱２００の中の全ての無線タグ１４Ａ〜１４Ｃの動作を停止又は一時停止する場合について説明する。
【００７６】
なお、無線タグ１４Ａ〜１４Ｃは、無線タグ１４と同一の機能を有するもので構成されている。なお、無線タグ１４は、必ずしも箱２００に入っている必要はない。また、無線タグ１４の個数は、１以上であればよい。
【００７７】
無線タグ１４Ａ〜１４Ｃを含む箱２００が、発信機１２のエリア内に運ばれたとする。このとき、無線タグ１４Ａ〜１４Ｃは、発信機１２の発信による起動信号を受信する。次に、無線タグ１４Ａ〜１４Ｃは、起動信号を受信すると、要求信号を発信する。この要求信号は、動作を停止又は一時停止するタグ制御信号（以下、停止コマンドともいう）を要求するためのコマンドでもある。
【００７８】
受信機１６は、要求信号を受信すると、停止コマンドを含む制御信号を発信機１２へ送信する。発信機１２は、停止コマンドを含む制御信号を受信すると、受信した停止コマンドを含む制御信号を無線タグ１４へ発信する。ここで、受信機１６は、要求信号を受信したときには、停止コマンドを含む制御信号を発信機１２へ出力するように設定されている。
【００７９】
次に、無線タグ１４Ａ〜１４Ｃは、停止コマンドを含む制御信号を受信したことを検知すると、停止コマンドにより制御され、タグの機能を停止又は一時停止する。
【００８０】
以上、第３実施例によれば、無線タグ１４の機能を停止又は一時停止させることを容易に行うことができる。また、複数の無線タグ１４に対しても、その機能を停止又は一時停止させることを一度に行うことができる。よって、無線タグを出荷するときなどに一度に無線タグ１４の機能を停止させることができる。
【００８１】
また、停止又は一時停止する無線タグ１４の機能としては、無線タグ１４の一部の機能だけでもよい。
【００８２】
なお、第３実施例では、無線タグ１４の機能を停止又は一時停止させる例について説明したが、停止又は一時停止された無線タグ１４の機能を起動させることに適用することも可能である。この場合、タグ制御信号として、無線タグ１４の機能を起動させる起動コマンドが用いられる。
【００８３】
＜変形例＞
本実施形態では、上述した実施例以外にも、様々なタグ制御信号を適用することができる。例えば、タグ制御信号としては、無線タグ１４のＬＥＤをＯＮ又はＯＦＦにするコマンドや、無線タグ１４の各機能を省電力モードにするコマンドや、無線タグ１４から出力されるデータ（例えばタグ情報）を制御するコマンドや、無線タグ１４からタグＩＤを出力させるコマンド、無線タグ１４の動作速度を調節するコマンドなどである。
【００８４】
また、本実施形態では、要求信号が無線タグ１４ごとに異なれば、無線タグ１４ごとに異なる制御を行うことも可能である。これにより本実施形態では、無線タグ１４を選別して、選別した無線タグ１４だけに制御を行うことも可能である。
【００８５】
また、各実施例において、複数の無線タグ１４を用いる場合、各無線タグ１４の発信タイミングを乱数表に従って異なるタイミングに設定することもできる。これにより、無線タグ１４それぞれに対して制御を行うことができる。
【００８６】
さらに、第１実施例において、タグ情報にＣＲＣコードを付加したり、無線タグ１４として、在庫の状態での電池消耗を防止するために、ケース封入時に通電開始するケース構造としたりすることもできる。
【００８７】
なお、本実施形態では、受信機１６が、要求信号を受信して応答信号として制御信号を出力する機能、つまり、信号に変更を加える機能を有する。しかし、本実施形態では、他の例として、発信機１２が、受信機１６から応答信号として要求信号を受信して制御信号を出力する機能を有してもよい。よって、応答信号は、要求信号又は制御信号のどちらでもよく、もしくはその他の信号でもよい。
【符号の説明】
【００８８】
１０ 情報処理システム
１２ 発信機
１４ 無線タグ
１６ 受信機
１８ ホスト
【図１】
2016164692.tif 000003
【図２】
2016164692.tif 000004
【図３】
2016164692.tif 000005
【図４】
2016164692.tif 000006
【図５】
2016164692.tif 000007
【図６】
2016164692.tif 000008
【図７】
2016164692.tif 000009